(57)【要約】【課題】  マルチカードアダプタの提供。【解決手段】  基板と絶縁ケースで構成され、基板表面に、複数の伝送端子と電気的に接続された端子モジュールが設けられ、且つ絶縁ケースに接続空間が形成され、並びに絶縁ケースの一側の接続面に接続空間と連通するスロットが設けられ、且つ絶縁ケースが基板表面を被覆し、これによりアダプタの高度と占用体積を縮小し、並びに異なる形式のメモリカードが挿入されてデータ伝送を行なうことができるものとされる。【選択図】        図１
0003102397.tif 000002
【実用新案登録請求の範囲】
【請求項１】
基板と絶縁ケースで構成され、該基板の表面に、複数の端子モジュールと伝送端子が設けられ、該基板の端子モジュールが該伝送端子に電気的に接続され、該絶縁ケースに接続空間が設けられ、該絶縁ケースの一側の接続面に該接続空間に連通する複数のスロットが設けられ、該絶縁ケースが基板の表面を被覆し、異なる形式のメモリカードが挿入されてデータの伝送に供されることを特徴とする、マルチカードアダプタ。
【請求項２】
請求項１記載のマルチカードアダプタにおいて、端子モジュールが第１端子セット、第２端子セット、第３端子セット、第４端子セットを具え、各端子セットに接続端とはんだ付け端が設けられ、はんだ付け端が基板上に位置決めされたことを特徴とする、マルチカードアダプタ。
【請求項３】
請求項１記載のマルチカードアダプタにおいて、伝送端子に固定端とはんだ付け端が設けられ、且つ伝送端子のはんだ付け端が基板外端より延伸されて回路板とのはんだ付けに供されることを特徴とする、マルチカードアダプタ。
【請求項４】
請求項３記載のマルチカードアダプタにおいて、伝送端子のはんだ付け端が、刺破方式、はんだ付け方式で回路板に接続されることを特徴とする、マルチカードアダプタ。
【請求項５】
請求項１記載のマルチカードアダプタにおいて、絶縁ケースの接続面に設けられたスロットが、異なる規格の第１スロット、第２スロット、第３スロット、第４スロットで組成されたことを特徴とする、マルチカードアダプタ。
【請求項６】
請求項１記載のマルチカードアダプタにおいて、絶縁ケースの接続面に設けられたスロットに、５種類の異なる規格のメモリカードを挿入できることを特徴とする、マルチカードアダプタ。
【請求項７】
請求項１記載のマルチカードアダプタにおいて、絶縁ケースの接続空間の二側に第１端子セット、第２端子セット、第３端子セットが設けられたことを特徴とする、マルチカードアダプタ。
【考案の詳細な説明】
【技術分野】
【０００１】
本考案は一種のマルチカードアダプタに係り、多種類の異なる形式のメモリカードを挿入して接続を行なうためのアダプタであり、アダプタの高度と占用体積を縮小すると共に、基板上に設けられるアダプタの数量を増して基板の使用空間を減らすことができるマルチカードアダプタに関する。
【背景技術】
【０００２】
コンピュータテクノロジーは急速に成長し、コンピュータの発展傾向は、演算機能の強化、速度アップの方向に邁進し、コンピュータ、電子辞書等においてメモリ、ネットワークカード、モデム、ＳＣＳＩ設備（例えば高容量ハードディスク、スキャナ）を拡充するのに電子カードが用いられている。コンピュータ用の電子カードの典型的な形式は、ＰＣＭＣＩＡ（Ｐｅｒｓｏｎａｌ  Ｃｏｍｐｕｔｅｒ  ｍｅｍｏｒｙ  Ｃａｒｄ  Ｉｎｔｅｒｎａｔｉｏｎａｌ  Ａｓｓｏｃｉａｔｉｏｎ）である。一般にＰＣＭＣＩＡも他のインタフェースに変換する設計を有し、それには例えばＰＣＭＣＩＡ  ｔｏ  ＳＣＳＩ、ＰＣＭＣＩＡ  ｔｏ  ＩＤＥがある。ほとんどのノートブック型コンピュータはプラグアンドプレイの能力を支援し、更には、再起動しなくても直接使用できるホットプラグ機能を支援しているものもある。また携帯情報端末やパームトップ型電子辞書等の装置に使用される異なる形式の電子カードもあり、ゆえに、現在市場には、ＰＣＭＣＩＡのメモリカード形式以外に、ＭＭＣ（ＭｕｌｔｉＭｅｄｉａ  Ｃａｒｄ）、ＣＦ（登録商標）カード、ＳＭ（登録商標）カード、ＭＳ（登録商標）カード、ＳＤカード等の規格がある。
【０００３】
さらに、伝統的な電子カードとアダプタの位置決め構造は、アダプタケースが基板上に固定され、さらに電子カードがアダプタに挿入され、電子カードとアダプタの接続の目的が達成され、且つ各種メモリカードは形式の違いによりその外観サイズ及び形状に差異があり、このためメモリカードの形式が異なる場合は、それに符合する特定形式のアダプタがなければ、メモリカード中のデータを読み取ることができない。即ち、このメモリカードとアダプタの挿入接続方式は、使用時にアダプタ形式の制限を受け、形式の異なるメモリカードに交換して使用することはできない。このため、基板上の多種類の異なる形式のアダプタを設置しなければならず、このため基板の面積が拡大し、占用空間が増加し、基板使用時に体積、空間の制限が発生した。さらに周知のマルチカードアダプタのほとんどは絶縁座体内に基板が位置決めされ、さらに上蓋にもう一つの基板が位置決めされ、並びに二つの基板それぞれに複数の信号端子と伝送端子が位置決めされている。ゆえに上蓋で絶縁座体を被覆する時、複数の信号端子と伝送端子が電気的接続を形成する。しかし、従来のアダプタの設計と組立方式は、多くの部品と空間が必要で、アダプタの厚さと体積が増加し、このため使用時に多くの空間を占用し、且つ上述の周知のアダプタは製造の過程で、部品が多いために組立が煩雑となり製造コストが高くなる。このように従来のアダプタはその多くの欠点と不便のために改善が求められている。
【考案の開示】
【考案が解決しようとする課題】
【０００４】
本考案は、多種類の異なる形式のメモリカードを挿入できるマルチカードアダプタを提供し、異なる形式のメモリカードデータを該アダプタにより基板に伝送できるようにする。
【０００５】
本考案の主要な目的は、基板表面に伝送端子と電気的接続を形成する第１端子セット、第２端子セット、第３端子セット及び第４端子セットを設け、並びに絶縁ケースの一側の接続面に接続空間に連通する複数のスロットを設け、且つ絶縁ケースに基板表面を被覆させ、これによりアダプタの高度と占用体積を縮小し、並びに異なる形式のメモリカードを挿入してデータ伝送を行なえるようにすることにある。
【０００６】
本考案の次の目的は、絶縁ケースの接続空間の二側に複数の検出端子を設け、メモリカードが絶縁ケースのスロットに挿入された時に、検出端子によりメモリカードの規格型番を判断できるようにすることにある。
【課題を解決するための手段】
【０００７】
請求項１の考案は、基板と絶縁ケースで構成され、該基板の表面に、複数の端子モジュールと伝送端子が設けられ、該基板の端子モジュールが該伝送端子に電気的に接続され、該絶縁ケースに接続空間が設けられ、該絶縁ケースの一側の接続面に該接続空間に連通する複数のスロットが設けられ、該絶縁ケースが基板の表面を被覆し、異なる形式のメモリカードが挿入されてデータの伝送に供されることを特徴とする、マルチカードアダプタとしている。
請求項２の考案は、請求項１記載のマルチカードアダプタにおいて、端子モジュールが第１端子セット、第２端子セット、第３端子セット、第４端子セットを具え、各端子セットに接続端とはんだ付け端が設けられ、はんだ付け端が基板上に位置決めされたことを特徴とする、マルチカードアダプタとしている。
請求項３の考案は、請求項１記載のマルチカードアダプタにおいて、伝送端子に固定端とはんだ付け端が設けられ、且つ伝送端子のはんだ付け端が基板外端より延伸されて回路板とのはんだ付けに供されることを特徴とする、マルチカードアダプタとしている。
請求項４の考案は、請求項３記載のマルチカードアダプタにおいて、伝送端子のはんだ付け端が、刺破方式、はんだ付け方式で回路板に接続されることを特徴とする、マルチカードアダプタとしている。
請求項５の考案は、請求項１記載のマルチカードアダプタにおいて、絶縁ケースの接続面に設けられたスロットが、異なる規格の第１スロット、第２スロット、第３スロット、第４スロットで組成されたことを特徴とする、マルチカードアダプタとしている。
請求項６の考案は、請求項１記載のマルチカードアダプタにおいて、絶縁ケースの接続面に設けられたスロットに、５種類の異なる規格のメモリカードを挿入できることを特徴とする、マルチカードアダプタとしている。
請求項７の考案は、請求項１記載のマルチカードアダプタにおいて、絶縁ケースの接続空間の二側に第１端子セット、第２端子セット、第３端子セットが設けられたことを特徴とする、マルチカードアダプタとしている。
【考案の効果】
【０００８】
本考案は、多種類の異なる形式のメモリカードを挿入できるマルチカードアダプタを提供し、異なる形式のメモリカードデータを該アダプタにより基板に伝送できるようにしている。
【考案を実施するための最良の形態】
【０００９】
図１、２は本考案の分解斜視図及び斜視図である。図示されるように、本考案は基板１と絶縁ケース２で組成されている。
【００１０】
該基板１の表面には端子モジュール１１と複数の伝送端子１２が設けられ、且つ端子モジュール１１に第１端子セット１１１、第２端子セット１１２、第３端子セット１１３、第４端子セット１１４が設けられている。更に、第１端子セット１１１、第２端子セット１１２、第３端子セット１１３、第４端子セット１１にそれぞれ接続端１１１１、１１２１、１１３１、１１４１が設けられ、且つ第１端子セット１１１、第２端子セット１１２、第３端子セット１１３、第４端子セット１１４のはんだ付け端１１１２、１１２２、１１３２、１１４２が基板１の上に位置している。伝送端子１２はまた固定端１２１とはんだ付け端１２２を具え、且つはんだ付け端１２２は基板１外端より延伸され、これにより第１端子セット１１１、第２端子セット１１２、第３端子セット１１３、第４端子セット１１４が基板１に設けられた伝送回路と伝送端子１２により電気的接続を形成する。
【００１１】
該絶縁ケース２に接続空間２１が設けられ、並びに絶縁ケース２の一側の接続面２２に接続空間２１に連通する複数のスロット２２１が設けられている。さらに、上述の絶縁ケース２の接続面２２に設けられたスロット２２１は異なる規格の第１スロット２２１１、第２スロット２２１２、第３スロット２２１３、第４スロット２２１４で組成され、並びに接続空間２１の二側に第１検出端子セット２１１、第２検出端子セット２１２、第３検出端子セット２１３が設けられ、且つ上述の絶縁ケース２が基板１表面を被覆するよう固定され、異なる形式のメモリカード３が挿入されてデータ伝送を行なうのに供される。
【００１２】
図３、４、５は本考案にＭＳ（登録商標）型メモリカードが挿入される前の平面図、ＭＳ（登録商標）型メモリカードが挿入された後の平面図、ＭＳ（登録商標）型メモリカードが挿入された後の正面図である。これらの図に示されるように、該ＭＳ（登録商標）型メモリカード３は絶縁ケース２の接続面２２の符合する規格の第１スロット２２１１に挿入され、且つメモリカード３が絶縁ケース１の接続空間２１内に進入し、メモリカード３の金属接続面３１が接続空間２１中の第１端子セット１１１と電気的接続を形成する。
【００１３】
図６、図７及び図８は、それぞれ本考案のＭＭＣ型メモリカードが挿入される前の平面図、ＭＭＣ型メモリカードが挿入された後の平面図、ＭＭＳ型メモリカードが挿入された後の正面図である。これらの図に示されるように、該ＭＭＳ型メモリカード３は絶縁ケース２の接続面２２の符合する規格の第２スロット２２１２に挿入され、且つメモリカード３が絶縁ケース１の接続空間２１内に進入し第１検出端子セット２１１と第３検出端子セット２１３に同時に接触し、メモリカード３の金属接続面３１が接続空間２１中で第３端子セット１１３と電気的接続を形成する。
【００１４】
図９、図１０及び図１１は、それぞれ本考案のＳＤ型メモリカードが挿入される前の平面図、ＳＤ型メモリカードが挿入された後の平面図、ＳＤ型メモリカードが挿入された後の正面図である。これらの図に示されるように、該ＳＤ型メモリカード３は絶縁ケース２の接続面２２の符合する規格の第２スロット２２１２に挿入され、且つメモリカード３が絶縁ケース１の接続空間２１内に進入し、並びに第１端子セット１１１に接触し、さらにメモリカード３の金属接続面３１が接続空間２１中の第３端子セット１１３と電気的接続を形成する。
【００１５】
図１２、図１３及び図１４は、それぞれ本考案のＸＤ型メモリカードが挿入される前の平面図、ＸＤ型メモリカードが挿入された後の平面図、ＸＤ型メモリカードが挿入された後の正面図である。これらの図に示されるように、該ＸＤ型メモリカード３は絶縁ケース２の接続面２２の符合する規格の第３スロット２２１３に挿入され、且つメモリカード３が絶縁ケース１の接続空間２１内に進入し、メモリカード３の金属接続面３１が接続空間２１中の第４端子セット１１４と電気的接続を形成する。
【００１６】
図１５、図１６及び図１７は、それぞれ本考案のＳＭ（登録商標）型メモリカードが挿入される前の平面図、ＳＭ（登録商標）型メモリカードが挿入された後の平面図、ＳＭ（登録商標）型メモリカードが挿入された後の正面図である。これらの図に示されるように、該ＳＭ（登録商標）型メモリカード３は絶縁ケース２の接続面２２の符合する規格の第４スロット２２１４に挿入され、且つメモリカード３が絶縁ケース１の接続空間２１内に進入し、第２検出端子セット２１２に接触し、メモリカード３の金属接続面３１が接続空間２１中の第２端子セット１１２と電気的接続を形成する。
【００１７】
しかし、以上は本考案の好ましい実施例の説明に過ぎず、本考案の実施範囲を限定するものではない。且つ上述の基板１上の伝送端子１２のはんだ付け端１２２は使用者の必要或いは回路設計の違いにより、基板１の後側或いは両側より外向きに延伸可能である。さらに、本考案の端子モジュール１１は二組或いはそれ以上を設置可能で、並びに基板１に設けられた伝送回路と伝送端子１２により電気的接続を形成し、これにより多種類の異なる規格型番のメモリカード３と電気的接続を形成してデータ伝送を行なうことができる。ゆえに、アダプタの全体厚さを減らし、加工の複雑性を減らすと共に、製造コストを減らすことができる。ゆえに、本考案の明細書の内容及び図面に基づきなしうる改変或いは修飾はいずれも本考案の請求範囲に属するものとする。
【図面の簡単な説明】
【００１８】
【図１】本考案の分解斜視図である。
【図２】本考案の斜視図である。
【図３】本考案のＭＳ（登録商標）カードが挿入される前の平面図である。
【図４】本考案のＭＳ（登録商標）カードが挿入された後の平面図である。
【図５】本考案のＭＳ（登録商標）カードが挿入された後の正面図である。
【図６】本考案のＭＭＣ型メモリカードが挿入される前の平面図である。
【図７】本考案のＭＭＣ型メモリカードが挿入された後の平面図である。
【図８】本考案のＭＭＣ型メモリカードが挿入された後の正面図である。
【図９】本考案のＳＤ型メモリカードが挿入される前の平面図である。
【図１０】本考案のＳＤ型メモリカードが挿入された後の平面図である。
【図１１】本考案のＳＤ型メモリカードが挿入された後の正面図である。
【図１２】本考案のＸＤ型メモリカードが挿入される前の平面図である。
【図１３】本考案のＸＤ型メモリカードが挿入された後の平面図である。
【図１４】本考案のＸＤ型メモリカードが挿入された後の正面図である。
【図１５】本考案のＳＭ（登録商標）型メモリカードが挿入される前の平面図である。
【図１６】本考案のＳＭ（登録商標）型メモリカードが挿入された後の平面図である。
【図１７】本考案のＳＭ（登録商標）型メモリカードが挿入された後の正面図である。
【符号の説明】
【００１９】
１  基板
１１  端子モジュール              １１３１  接続端
１１１  第１端子セット            １１３２  はんだ付け端
１１１１  接続端                  １１４  第４端子セット
１１１２  はんだ付け端            １１４１  接続端
１１２  第２端子セット            １１４２  はんだ付け端
１１２１  接続端                  １２  伝送端子
１１２２  はんだ付け端            １２１  固定端
１１３  第３端子セット            １２２  はんだ付け端
２  絶縁ケース
２１  接続空間                    ２２１  スロット
２１１  第１検出端子セット        ２２１１  第１スロット
２１２  第２検出端子セット        ２２１２  第２スロット
２１３  第３検出端子セット        ２２１３  第３スロット
２２  接続面                      ２２１４  第４スロット
３  メモリカード
３１  金属接続面
【図１】
0003102397.tif 000003
【図２】
0003102397.tif 000004
【図３】
0003102397.tif 000005
【図４】
0003102397.tif 000006
【図５】
0003102397.tif 000007
【図６】
0003102397.tif 000008
【図７】
0003102397.tif 000009
【図８】
0003102397.tif 000010
【図９】
0003102397.tif 000011
【図１０】
0003102397.tif 000012
【図１１】
0003102397.tif 000013
【図１２】
0003102397.tif 000014
【図１３】
0003102397.tif 000015
【図１４】
0003102397.tif 000016
【図１５】
0003102397.tif 000017
【図１６】
0003102397.tif 000018
【図１７】
0003102397.tif 000019